(57)【特許請求の範囲】
【請求項１】
線状の光源を保持する器具本体と、外部電源の電力を用いて前記光源を点灯させる電源ブロックと、前記外部電源からの給電が停止したときに前記光源を点灯させる非常灯ブロックと、前記外部電源からの給電が停止したときに前記非常灯ブロックに電力を供給する蓄電池とを備え、前記光源の長手方向において、前記電源ブロックと前記非常灯ブロックと前記蓄電池とは並んで前記器具本体に配置されており、前記非常灯ブロックは前記蓄電池と前記電源ブロックとの間に配置されており、前記非常灯ブロックと前記蓄電池とは第１電線を介して接続されており、前記非常灯ブロックの前記第１電線が接続される電池接続部と前記蓄電池の前記第１電線が接続される端部とは、前記器具本体の長手方向に向き合って配置されており、前記光源に電力を供給する前記電源ブロックの第１出力部は、前記光源に電力を供給する前記非常灯ブロックの第２出力部の近傍に設けられた電線接続部に、第２電線を介して接続されており、前記電源ブロックは、前記第２電線、および前記第２出力部と前記光源とを接続する第３電線を介して、前記光源に電力を供給することを特徴とする非常用照明器具。
【請求項２】
前記蓄電池および前記非常灯ブロックは、前記光源の長手方向において、前記光源の給電側である一端と前記電源ブロックとの間に配置されることを特徴とする請求項１記載の非常用照明器具。
【発明の詳細な説明】
【技術分野】
【０００１】
本発明は、外部電源が供給されている通常時に通常の照明器具として用いられる非常用照明器具に関するものである。
【背景技術】
【０００２】
従来から、商用電源のような外部電源からの給電が停止した非常時に、蓄電池の電力を用いて点灯する非常用照明器具が提供されている。また、この種の非常用照明器具を、外部電源が供給されている通常時にも通常の照明器具として利用できるようにすることが考えられている（例えば、特許文献１）。
【０００３】
特許文献１には、通常時に外部電源の電力を用いて光源を点灯させる常用点灯回路と、バッテリ（蓄電池）と、非常時に蓄電池からの電力を用いて光源を点灯させる非常用点灯回路とを備え、非常時だけでなく通常時にも点灯する非常用照明器具が記載されている。特許文献１に記載される非常用照明器具は、器具本体内において常用点灯回路および非常用点灯回路を収納した点灯回路収納部が、蓄電池を収納したバッテリー収納部の上に密接して配置されている。
【０００４】
一方、光源が直管形（すなわち、線状）である場合は、図５および図６に示すように、光源１０を保持する器具本体２０に光源１０の長手方向において、常用点灯回路９１と非常用点灯回路９３と蓄電池９２とを並べて配置することが考えられる。図示する非常用照明器具では、器具本体２０の長手方向の一端（図５では右端）から非常用点灯回路９３、常用点灯回路９１、蓄電池９２の順に配置されている。
【先行技術文献】
【特許文献】
【０００５】
【特許文献１】特開２００６−１４００６６号公報（段落［００３３］）
【発明の概要】
【発明が解決しようとする課題】
【０００６】
ところで、通常時も点灯する非常灯照明器具では、常用点灯回路は、外部電源が供給されている間、常時通電されている。つまり、常用点灯回路は、外部電源が供給されている間は常時通電されて発熱している。そのため、蓄電池は、電源として使用されない間も、常用点灯回路により加熱されることになる。そして、蓄電池の温度が高いと、自然放電が生じやすくなったり蓄電池の寿命が低下したりする可能性がある。一方、非常用点灯回路は、外部電源からの給電が停止した非常時には常時通電されるが、通常時には蓄電池を充電するときなどにだけ通電される。
【０００７】
特許文献１には、常用点灯回路を蓄電池の上側に配置することにより、常用点灯回路から蓄電池への熱の影響を低減させることが記載されている。しかし、蓄電池と常用点灯回路とが上下に密接して配置されているため、蓄電池は依然として常用点灯回路の熱の影響を受けることになる。
【０００８】
また、直管形の光源１０を備える非常用照明器具では、図５および図６に示すように、器具本体２０の長手方向において、蓄電池９２と常用点灯回路（電源ブロック）９１とが並んで配置されている。そのため、蓄電池９２は電源ブロック９１から発生した熱の影響を受けやすい。
【０００９】
本発明は上記事由に鑑みて為されたものであり、線状の光源を用いた場合であっても、蓄電池が電源ブロックの発熱の影響を受けにくい非常用照明器具を提供することを目的とする。
【課題を解決するための手段】
【００１０】
本発明の非常灯照明器具は、線状の光源を保持する器具本体と、外部電源の電力を用いて光源を点灯させる電源ブロックと、外部電源からの給電が停止したときに光源を点灯させる非常灯ブロックと、外部電源からの給電が停止したときに非常灯ブロックに電力を供給する蓄電池とを備え、光源の長手方向において、電源ブロックと非常灯ブロックと蓄電池とは並んで器具本体に配置されており、非常灯ブロックは蓄電池と電源ブロックとの間に配置されており、非常灯ブロックと蓄電池とは第１電線を介して接続されており、非常灯ブロックの第１電線が接続される電池接続部と蓄電池の第１電線が接続される端部とは、器具本体の長手方向に向き合って配置されており、光源に電力を供給する電源ブロックの第１出力部は、光源に電力を供給する非常灯ブロックの第２出力部の近傍に設けられた電線接続部に、第２電線を介して接続されており、電源ブロックは、第２電線、および第２出力部と光源とを接続する第３電線を介して、光源に電力を供給することを特徴とする。
【００１１】
この非常灯照明器具において、蓄電池および非常灯ブロックは、光源の長手方向において、光源の給電側である一端と電源ブロックとの間に配置されることが望ましい。
【発明の効果】
【００１２】
本発明の構成によれば、線状の光源を用いた場合であっても、蓄電池が電源ブロックの発熱の影響を受けにくくなるという利点がある。
【図面の簡単な説明】
【００１３】
【図１】実施形態１を示す概略平面図である。
【図２】同上の分解斜視図である。
【図３】実施形態２を示す分解斜視図である。
【図４】同上の概略平面図である。
【図５】従来構成を示す分解斜視図である。
【図６】同上の概略平面図である。
【発明を実施するための形態】
【００１４】
以下に説明する非常用照明器具は、通常時は商用電源のような外部電源の電力を用いて光源を点灯させ、外部電源からの給電が停止した非常時には、内蔵した蓄電池の電力を用いて光源を点灯させるものである。本実施形態の非常用照明器具は、図２に示すように、光源としての直管形（すなわち、線状）のＬＥＤランプ１と、ＬＥＤランプ１を保持する器具本体２とを備える。さらに、非常用照明器具は、通常時にＬＥＤランプ１を点灯させる電源ブロック３１と、蓄電池３２と、非常時にＬＥＤランプ１を点灯させる非常灯ブロック３３と、電源ブロック３１および非常灯ブロック３３を外部電源に接続する電源端子台３４とを備える。
【００１５】
ＬＥＤランプ１は、長手方向の両端部に口金１１，１２を備え、一方の口金１１のみから電力が供給される。
【００１６】
器具本体２は、図１に示すように、平面視において長方形状であって、器具本体２の長手方向の各一端部にはＬＥＤランプ１を取り付けるソケット２１，２２がそれぞれ配置される。ソケット２１にはＬＥＤランプ１の口金１１が結合され、ソケット２２には口金１２が結合される。また、ソケット２１のみからＬＥＤランプ１に電力が供給され、ソケット２２には給電されない。
【００１７】
電源ブロック３１は、外部電源が供給されている通常時に外部電源からの電力を用いてＬＥＤランプ１に電力を供給する。非常灯ブロック３３は、通常時に蓄電池３２を充電し非常時に蓄電池３２からの電力を用いてＬＥＤランプ１に電力を供給する。蓄電池３２は、一端面に電線４１の一端が接続される。電線４１の他端には、非常灯ブロック３３と接続するためのコネクタが設けられる。
【００１８】
電源ブロック３１、蓄電池３２、非常灯ブロック３３は、器具本体２のソケット２１，２２の間に、器具本体２の長手方向に沿って並べられ、ソケット２１側からソケット２２側に向って、蓄電池３２、非常灯ブロック３３、電源ブロック３１の順に配置される。電源端子台３４は、電源ブロック３１と非常灯ブロック３３との近傍に配置される。また、電源ブロック３１と蓄電池３２とは、器具本体２の長手方向において非常灯ブロック３３を挟んで配置される。この配置により、外部電源から供給される電力でＬＥＤランプ１を点灯させている間に通電されて発熱する電源ブロック３１から蓄電池３２を離間させて配置することになり、蓄電池３２が電源ブロック３１の発熱の影響を受けにくくなる。
【００１９】
上述のように、蓄電池３２と非常灯ブロック３３とは、電源ブロック３１を挟むことなく器具本体２の長手方向において近接させて配置されている。仮に、器具本体２の長手方向において蓄電池３２と非常灯ブロック３３との間に電源ブロック３１が配置されたとすると、本実施形態の構成よりも、蓄電池３２と非常灯ブロック３３とを接続する電線４１が長くなる。つまり、本実施形態の構成を採用することにより、蓄電池３２と非常用点灯回路３３とを接続する電線４１が短くなる。これにより、電線４１による電圧降下が低減され、蓄電池３２から非常灯ブロック３３に供給される電圧の低下を抑制できる。
【００２０】
図１に示すように、電源ブロック３１は、外部電源が接続される入力部をソケット２２側（図１では左側）に向けて配置される。同様に、非常灯ブロック３３も、外部電源が接続される入力部をソケット２２側に向けて配置される。また、蓄電池３２は、電線４１が接続された端部をソケット２２側へ向けて配置される。
【００２１】
蓄電池３２は、電線４１を介して、非常灯ブロック３３においてＬＥＤランプ１に電力を供給する出力部側の端部に設けられた電池接続部と接続される。つまり、非常灯ブロック３３の電池接続部と蓄電池３２の電線４１が接続される端部とは、器具本体２０の長手方向に向き合って配置されており、蓄電池３２と非常灯ブロック３３とを接続する電線４１が短くなる。この構成によっても、電線４１による電圧降下が低減され、蓄電池３２から非常灯ブロック３３に供給される電圧の低下を抑制できる。
【００２２】
電源ブロック３１の入力部と電源端子台３４とは電線４２を介して接続され、非常灯ブロック３３の入力部と電源端子台３４とは電線４３を介して接続される。非常灯ブロック３３の出力部とソケット２１とは、電線４４を介して接続される。また、電源ブロック３１においてＬＥＤランプ１に電力を供給する出力部は、非常灯ブロック３３の出力部近傍に設けられた電線接続部に、電線４５を介して接続される。電線４５は、電源ブロック３１から電線４４を通してＬＥＤランプ１に電力を供給するために設けられている。
【００２３】
図２に示すように、非常用照明器具は、蓄電池３２から正常に電力供給されるかを点検する点検スイッチ３５をさらに備える。点検スイッチ３５は、操作用紐３５１を備えており、操作用紐３５１を引くことにより、電源体子台３４から非常灯ブロック３３への電力の供給を停止させ、蓄電池３２から電力が供給されるかを点検する。また、器具本体２とＬＥＤランプ１との間には、両端部にソケット２１，２２が挿通される開口を備える逆富士型の反射板２４が配置される。
【００２４】
本実施形態においては、ＬＥＤランプ１を光源として用いているが、蛍光灯など他の光源を用いてもよい。
（実施形態２）
本実施形態においては、図３および図４に示すように、ソケット２１側（図４では右側）から、電源ブロック３１、非常灯ブロック３３、蓄電池３２の順に配置される点が実施形態１と相違する。すなわち、実施形態１の構成とは、非常灯ブロック３３に対して電源ブロック３１と蓄電池３２との位置を逆にしている。
【００２５】
その他の構成および機能は実施形態１と同様であり、同様の効果が得られる。
【符号の説明】
【００２６】
２  器具本体
３１  電源ブロック
３２  蓄電池
３３  非常灯ブロック
【図１】
0006008270.tif 000002
【図２】
0006008270.tif 000003
【図３】
0006008270.tif 000004
【図４】
0006008270.tif 000005
【図５】
0006008270.tif 000006
【図６】
0006008270.tif 000007